(57)【要約】【課題】  従来の車両の発光手段を改装して容易に使用できるようにし、広範囲な車種に適用することができるようにする。【解決手段】  この装置は、車室内のルーフ部に固定される台座４１と、台座４１に取り付けられ収容空間４３を形成する透光可能なカバー４２と、収容空間４３内に設けられた一対の導電片４４と、車用電源と一対の導電片４４との導通を外部から制御するスイッチ４５と、収容空間４３内に設けられカバー４２を介して車室内へ投光する照明ユニット５とを備えている。そして、照明ユニット５は、収容空間４３内に収容された回路板５１と、一対の連接片５２と、発光ダイオード５３とを有している。一対の連接片５２は、それぞれ両端を有するものであって、一端が回路板５１の回路上に一定の間隔をおいて設けられた両接点とそれぞれ電気的に接続され、他端が一対の導電片４４とそれぞれ連接する。【選択図】      図４
0003109132.tif 000002
【実用新案登録請求の範囲】
【請求項１】
車室内のルーフ部に固定された台座と、前記台座に取り付けられ収容空間を形成する透光可能なカバーと、前記収容空間内に設けられた一対の導電片と、車用電源と前記一対の導電片との導通を制御する外部スイッチとを備えた車室内照明装置の照明ユニットであって、
前記収容空間内に収容される回路板と、
それぞれ両端を有するものであって、一端が前記回路板の回路上に一定の間隔をおいて設けられた両接点とそれぞれ電気的に接続され、他端が前記一対の導電片とそれぞれ連接する一対の連接片と、
前記回路板と電気的に接続され、前記車室内へ投光して照明する少なくとも一つの発光ダイオードと、
を備えた照明ユニット。
【請求項２】
前記回路板は、前記発光ダイオードの電流が流れる方向の上流側に設けられた抵抗器と、前記発光ダイオードの電流が流れる方向の下流側に設けられたダイオードとを更に備えており、
前記一対の導電片が前記車用電源に導通されると、前記車用電源電流が前記抵抗器、前記発光ダイオード及び前記ダイオードを順次に流れて前記発光ダイオードを発光させるる、請求項１に記載の照明ユニット。
【請求項３】
車室内のルーフ部に固定される台座と、
前記台座に取り付けられ収容空間を形成する透光可能なカバーと、
前記収容空間内に設けられた一対の導電片と、
車用電源と前記一対の導電片との導通を外部から制御するスイッチと、
前記収容空間内に設けられ前記カバーを介して車室内へ投光する照明ユニットとを備え、
前記照明ユニットは、
前記収容空間内に収容された回路板と、
それぞれ両端を有するものであって、一端が前記回路板の回路上に一定の間隔をおいて設けられた両接点とそれぞれ電気的に接続され、他端が前記一対の導電片とそれぞれ連接する一対の連接片と、
前記回路板と電気的に接続され、前記車室内へ投光して照明する少なくとも一つの発光ダイオードとを有する、
車室内用照明装置。
【請求項４】
前記回路板は、前記収容空間内において前記カバーとほぼ平行するように配置され、上下２面が互いに電気的に接続している板状のものであって、
前記一対の連接片の前記一端は、それぞれ前記回路板の前記上面と電気的に接続され、
前記発光ダイオードは、前記カバーの方へ投光することができるように前記回路板の下に設けられ、前記下面と電気的に接続されている、
請求項３に記載の車室内用照明装置。
【請求項５】
前記回路板は、前記収容空間内において前記カバーとほぼ垂直に配置され、左右２面が互いに電気的に接続している板状のものであって、
前記一対の連接片の前記一端は、前記左右２面とそれぞれ電気的に接続され、
前記発光ダイオードは、一つのみであって、２つの端子を有し、且つ前記カバーの方へ投光することができるように前記回路板の下に設けられており、前記２つの端子が前記左右２面とそれぞれ電気的に接続されている、
請求項３に記載の車室内用照明装置。
【考案の詳細な説明】
【技術分野】
【０００１】
本考案は、照明ユニット及びそれを備えた照明装置に関し、特に車室内のルーフ部に設置される車室内用照明ユニット及びそれを備えた車室内用照明装置に関する。
【背景技術】
【０００２】
従来から、車室内照明のために、自動車などの車室内のルーフ部、特に前部座席と後部座席との間のルーフ部に車室内用照明装置が設けられている。図１は従来の車室内用照明装置の一例を示す一部断面図である。図１に示すように、従来の車室内用照明装置１は、車室内のルーフ部（図示ぜず）に固定される台座１１と、台座１１に取り付けられ収容空間１２１を形成している透光可能なカバー１２と、互いに所定の間隔をあけて収容空間１２１内に設けられた左右一対の導電片１３，１３と、車用電源と一対の導電片１３，１３との導通を外部から制御するスイッチ１４と、一対の導電片１３，１３の間に跨がるように設けられるとともに一対の導電片１３，１３と電気的に接続された発光手段１５とからなっている。
【０００３】
このような構成では、一対の導電片１３，１３がスイッチ１４によって前記車用電源に導通されると、発光手段１５が点灯し、この発行手段１５の光を透光可能なカバー１２を介して車室内へ照射することができる。
【０００４】
しかしながら、照明装置からの強い照射光が運転手の目に入射されると、運転手の前方視認性が低減する。そこで、従来の車室内用照明装置１においては、発光手段１５として、通常、ワット数が低く且つ黄色がかったもの、即ち目に眩しいほどの輝度を有しない白熱電球が使用されている。しかし、この白熱電球は、輝度、指向性が足りないだけでなく、使用寿命も短い。
【０００５】
図２は従来の車室内用照明装置の他の例を示す一部断面図である。図２に示すように、この従来の車室内用照明装置２は、車室内のルーフ部に固定される台座２１と、台座２１に取り付けられ収容空間を形成している透光可能なカバー２２と、前記収容空間内に設けられた発光手段としての通常の蛍光灯２３とからなっている。通常の蛍光灯２３は、その輝度はもちろん白熱電球より大きく、且つ発熱量が小さいため使用寿命が長いという利点がある。しかし、蛍光灯２３は一方向に長いので、指向性が白熱電球より更に悪く、目に眩しくて運転手の前方視認性に悪影響を与えるという固有の欠点がある。さらに、このような車室内用照明装置２は、図１に示している従来の装置に援用することができず、穴開けやねじ加工等が必要であり、大幅に改装しなければならない。
【０００６】
上記に鑑みて、図３に示す車室内用照明ユニット３が開示されている。この車室内用照明ユニット３は、互いに電気的に接続している上下２面を有する回路板３４と、互いに所定の間隔をあげて回路板３４の上面に直立して配置され且つそれらの一端が回路板３４の上面とそれぞれ電気的に接続された一対の連接片３５，３５と、回路板３４の下に設けられるとともに回路板３４の下面と電気的に接続された冷陰極蛍光ランプ３６と、回路板３４の上の一対の連接片３５，３５の間に設けられた回路制御手段３７とからなっている。
【０００７】
この車室内用照明ユニット３においては、冷陰極蛍光ランプ３６を発光手段としているので、輝度が十分である上、発熱量が小さくて使用寿命が長い。また、この証明ユニット３は、図１のような照明装置１が装備された車両において、前記電球１５だけを取り外し、前記車室内用照明ユニット３における一対の連接片３５，３５の他端を一対の導電片１３，１３とそれぞれ電気的に接続するだけで実現できるので、改装が非常に簡単である。
【０００８】
しかしながら、従来の車室内用照明ユニット３は冷陰極蛍光ランプ３６を使用しているので、冷陰極蛍光ランプ３６を駆動するために回路制御手段３７に電圧変換器などの寸法が大きい部品を備える必要があり、その取付に大きなスペースが必要となり、適用できる車種が限定されるという欠点がある。
【考案の開示】
【考案が解決しようとする課題】
【０００９】
本考案は、上記に鑑みてなされたものであって、従来白熱電球を車室内の発光手段として使用していた照明装置を容易に改装して実現でき、且つ広範囲な車種に適用することができる車室内用照明ユニット及びそれを備えた車室内用照明装置を提供することを目的とする。
【００１０】
また、輝度、指向性が高い上、発熱量が小さくて使用寿命が長い車室内用照明ユニット及びそれを備えた車室内用照明装置を提供することを目的とする。
【課題を解決するための手段】
【００１１】
本考案に係る照明ユニットは、車室内のルーフ部に固定された台座と、前記台座に取り付けられ収容空間を形成する透光可能なカバーと、前記収容空間内に設けられた一対の導電片と、車用電源と前記一対の導電片との導通を制御する外部スイッチとを備えた車室内照明装置の照明ユニットであって、回路板と、一対の連接片と、少なくとも一つの発光ダイオードとを備えている。回路板は前記収容空間内に収容される。一対の連接片は、それぞれ両端を有するものであって、一端が前記回路板の回路上に一定の間隔をおいて設けられた両接点とそれぞれ電気的に接続され、他端が前記一対の導電片とそれぞれ連接する。少なくとも一つの発光ダイオードは、前記回路板と電気的に接続され、前記車室内へ投光して照明する。
【００１２】
本考案に係る車室内用照明装置は、車室内のルーフ部に固定される台座と、前記台座に取り付けられ収容空間を形成する透光可能なカバーと、前記収容空間内に設けられた一対の導電片と、車用電源と前記一対の導電片との導通を外部から制御するスイッチと、前記収容空間内に設けられ前記カバーを介して車室内へ投光する照明ユニットとを備えている。そして、前記照明ユニットは、前記収容空間内に収容された回路板と、一対の連接片と、少なくとも一つの発光ダイオードとを有している。一対の連接片は、それぞれ両端を有するものであって、一端が前記回路板の回路上に一定の間隔をおいて設けられた両接点とそれぞれ電気的に接続され、他端が前記一対の導電片とそれぞれ連接する。少なくとも一つの発光ダイオードは、前記回路板と電気的に接続され、前記車室内へ投光して照明する。
【考案の効果】
【００１３】
本考案の車室内用照明ユニットは、従来の白熱電球を発光手段として用いた車両において、前記電球を取り外して発光ダイオードを設け、前記一対の連接片の他端を前記一対の導電片と連接させるだけで実現できるので、従来の回路配置を利用して容易に改装が可能となる。また、本考案の照明ユニットでは、前記発光ダイオードを駆動する部品において電圧変換器などの寸法が大きい部品を備える必要がないので、既存の大部分の車種に適用することができる。
【００１４】
そして、本考案の車室内用照明ユニットは前記発光ダイオードを発光手段としているため、指向性が高くて目に照射されても眩しくならず、発熱量が小さくて使用寿命も長い。なお、発光ダイオードはサイズが小さいなど利点を有するため、複数個以上の発光ダイオードを取り付けることにより、走行中の安全性に悪影響をもたらすことなしに輝度を大幅に高めることができる。また、前記車室内用照明ユニットを備えた車室内用照明装置も同様の利点を備えている。
【考案を実施するための最良の形態】
【００１５】
以下、本考案の車室内用照明ユニット及びそれを備えた車室内用照明装置の好ましい実施形態を詳しく説明する。なお、以下の説明においては、そのサイズに拘わらず、略同一の機能及び構成を有する構成要素については、同一符号を付し、重複説明は必要な場合にのみ行う。
【００１６】
［実施形態１］
図４は本考案の車室内用照明ユニット及びそれを備えた車室内用照明装置の第１の実施形態を示す一部断面図である。図４に示すように、この車室内用照明装置４は、車室内のルーフ部に固定される台座４１と、台座４１に取り付けられ収容空間４３を形成している透光可能なカバー４２と、互いに所定の間隔をあけて収容空間４３内に設けられた左右一対の導電片４４，４４と、車用電源と一対の導電片４４，４４との導通を外部から制御するスイッチ４５と、収容空間４３内に設けられカバー４２を介して車室内へ投光する照明ユニット５とを備えている。
【００１７】
前記照明ユニット５は、収容空間４３内の一対の導電片４４，４４の間に収容されている回路板５１と、一対の連接片５２，５２と、複数の発光ダイオード５３とを有している。一対の連接片５２，５２は、それぞれ両端を有し、それらの一端が回路板５１の回路上に一定の間隔をおいて設けられた両接点とそれぞれ電気的に接続され、他端が一対の導電片４４，４４とそれぞれ連接している。また、発光ダイオード５３は、回路板５１と電気的に接続されており、前記車室内へ投光して照明するものである。なお、この発光ダイオード５３は少なくとも一つ設けられていればよい。
【００１８】
より詳細に説明すると、回路板５１は、カバー４２とほぼ平行になるように収容空間４３内に設けられるとともに、その上下２面が互いに電気的に接続されており、一対の連接片５２，５２の前記一端は、それぞれ回路板５１の前記上面と電気的に接続され、少なくとも一つの発光ダイオード５３は、カバー４２の方へ投光することができるように回路板５１の下に設けられるとともに、前記下面と電気的に接続されている。
【００１９】
また、図４及び図５に示すように、回路板５１には、抵抗器５４とダイオード５５とが設けられている。抵抗器５４歯、複数の発光ダイオード５３の、電流が流れる方向の上流側に設けられている。また、ダイオード５５は、複数の発光ダイオード５３の、電流が流れる方向の下流側に設けられている。
【００２０】
以上のような構成では、一対の導電片４４，４４がスイッチ４５によって前記車用電源に導通されると、図５に示すように、前記車用電源電流が、一対の連接片５２，５２の一つ、抵抗器５４、複数の発光ダイオード５３、ダイオード５５及び一対の連接片５２，５２の他の一つを順次に流れ、これにより複数の発光ダイオード５３が発光することになる。
【００２１】
この構成による車室内用照明装置４は、複数の発光ダイオード５３が使用されているため、輝度、指向性が高い上、発熱量が小さくて使用寿命が長い。また、図１のような従来の車室内用照明装置が設けられた車両にとっては、電球を取り外した後、本考案の車室内用照明装置４における車室内用照明ユニット５の一対の連接片５２，５２の他端を既存の一対の導電片４４，４４に引っ掛けるだけで改装を完成することができるので、従来の回路配置を変える必要がなく、改装が簡素になる。
【００２２】
また、前記発光ダイオード５３を駆動する必要な部品としては、寸法が小さい抵抗器５４及びダイオード５５しかないので、前記車室内用照明ユニット５は既存の大部分の車種に適用することができる。
【００２３】
［実施形態２］
図６は本考案の車室内用照明ユニット及びそれを備えた車室内用照明装置の第２の実施形態を示す一部断面図である。この第２の実施形態において、前記第１の実施形態と異なる点は、前記一対の連接片５２，５２の前記一端が前記回路板５１の下面から前記上面に貫通して固定されることにある。
【００２４】
［実施形態３］
図７は本考案の車室内用照明ユニット及びそれを備えた車室内用照明装置の第３の実施形態を示す一部断面図である。本実施形態においては、前記回路板５１は、前記カバー４２とほぼ垂直になるように前記収容空間４３内に設けられるとともに、その左右２面が互いに電気的に接続されており、前記一対の連接片５２，５２の前記一端は、前記左右２面とそれぞれ電気的に接続され、前記少なくとも一つの発光ダイオード５３は、一つだけであり、２つの端子を有し、且つ前記カバー４２の方へ投光することができるように前記回路板５１の下に設けられ、さらに前記２つの端子が前記左右２面とそれぞれ電気的に接続されている。
【産業上の利用可能性】
【００２５】
本考案の車室内用照明ユニット及びそれを備えた車室内用照明装置は、輝度、指向性が高いのみならず、発熱量が小さくて使用寿命が長い。また、本考案の車室内用照明ユニットは、白熱電球を発光手段として用いた既存の車両に対して簡単な改装によって取り付けることができる。また、本考案の車室内用照明ユニットは、全体の体積が小さいので、市販の大部分の車種に適用されることができる。
【００２６】
以上説明した実施の形態は、あくまでも本考案の技術的内容を明らかにする意図のものにおいてなされたものであり、本考案はそうした具体例に限定して狭義に解釈されるものではなく、本考案の精神と請求項に記載された範囲で、種々に変更して実施できるものである。
【図面の簡単な説明】
【００２７】
【図１】従来の車室内用照明装置の一例を示す一部断面図。
【図２】従来の車室内用照明装置の他の例を示す一部断面図。
【図３】従来の車室内用照明ユニットの一例を図１の車室内用照明装置に取り付ける場合を示す一部断面図。
【図４】本考案の車室内用照明ユニット及びそれを備えた車室内用照明装置の第１の実施形態を示す一部断面図。
【図５】前記第１の実施形態の車室内用照明ユニットの回路図。
【図６】本考案の車室内用照明ユニット及びそれを備えた車室内用照明装置の第２の実施形態を示す一部断面図。
【図７】本考案の車室内用照明ユニット及びそれを備えた車室内用照明装置の第３の実施形態を示す一部断面図。
【符号の説明】
【００２８】
４      車室内用照明装置
４１    台座
４２    カバー
４３    収容空間
４４    導電片
４５    スイッチ
５      車室内用照明ユニット
５１    回路板
５２    連接片
５３    発光ダイオード
５４    抵抗器
５５    ダイオード
【図１】
0003109132.tif 000003
【図２】
0003109132.tif 000004
【図３】
0003109132.tif 000005
【図４】
0003109132.tif 000006
【図５】
0003109132.tif 000007
【図６】
0003109132.tif 000008
【図７】
0003109132.tif 000009